(57)【要約】  【課題】  画像が印刷された用紙上の当該画像に関する音声メッセージを容易に収集すること。  【解決手段】  音入れ用のアクセス情報を発行し（Ｓ３）、このアクセス情報を表す２次元バーコード２７および所定の画像２８を記録した写真プリント２６を作成する（Ｓ４、Ｓ５）。この写真プリント２６は仲間に渡される。各人の携帯電話３０で写真プリント２６上の２次元バーコード２７を認識して（Ｓ７）、ネットワークを介してサービスサーバ１０にアクセスし（Ｓ８）、仲間の携帯電話３０で録音した音声メッセージをサービスサーバ１０に入力すると（Ｓ９）、音声メッセージはアクセス情報と関連付けされて登録される（Ｓ１０）。聞き取り用のアクセス情報を用いてアクセスしたときには（Ｓ１２）、登録された音声メッセージが携帯電話３０に配信されてくる（Ｓ１３）。リムーバブルな記録メディア１６に音声メッセージを記録してもよい（Ｓ１５）。【選択図】  図４
2005236876.tif 000002
【特許請求の範囲】
【請求項１】
音声メッセージを登録するためのデータベースと、
前記音声メッセージをユーザ端末機からネットワークを介して入力するために必要なアクセス情報を発行するアクセス情報発行手段と、
前記アクセス情報を所定の画像とともにプリンタに送信して、これらのアクセス情報および画像を同一のプリント媒体に記録させるプリント指示手段と、
前記プリント媒体に基づいてユーザ端末機で取得されたアクセス情報が該ユーザ端末機からネットワークを介して入力されるアクセス情報入力手段と、
前記アクセス情報の送信元のユーザ端末機からネットワークを介して音声メッセージが入力される音声メッセージ入力手段と、
前記アクセス情報の送信元のユーザ端末機から入力された音声メッセージを該アクセス情報と関連付けて前記データベースに登録する音声メッセージ登録手段と、
前記アクセス情報と関連付けられて前記データベースに登録された音声メッセージを出力する音声メッセージ出力手段と、
を備えたことを特徴とするサービスサーバ。
【請求項２】
前記音声メッセージ登録手段は、前記ユーザ端末機で取得されたアクセス情報と関連付けられた音声メッセージがすでに前記データベースに登録されている場合には、前記ユーザ端末機から入力された音声メッセージをすでに登録されている音声メッセージに追加して前記データベースに登録し、
前記音声メッセージ出力手段は、前記アクセス情報に複数の音声メッセージが関連付けられて前記データベースに登録されている場合には、該アクセス情報と関連付けられた複数の音声メッセージを出力することを特徴とする請求項１に記載のサービスサーバ。
【請求項３】
前記アクセス情報発行手段は、前記音声メッセージの入力を許可する第１のアクセス情報および前記音声メッセージの出力のみ可能な第２のアクセス情報を発行可能であり、
前記プリント指示手段は、前記第１のアクセス情報および第２のアクセス情報のいずれをプリント媒体に記録するかをプリンタに指示し、
前記アクセス情報入力手段に前記第１のアクセス情報が入力されたときには、該第１のアクセス情報の送信元のユーザ端末機から入力される音声メッセージを前記音声メッセージ登録手段により該第１のアクセス情報及び前記第２のアクセス情報と関連付けて前記データベースに登録可能であり、前記アクセス情報入力手段に前記第２のアクセス情報が入力されたときには、該第２のアクセス情報の送信元のユーザ端末機からの音声メッセージの入力は受け付けないで、該第２のアクセス情報と関連付けられて前記データベースに登録された音声メッセージを前記音声メッセージ出力手段によりアクセス情報の送信元のユーザ端末機に対してネットワークを介して出力することを特徴とする請求項１に記載のサービスサーバ。
【請求項４】
前記音声メッセージ登録手段は、前記ユーザ端末機で取得された前記第１のアクセス情報と関連付けられた音声メッセージがすでに前記データベースに登録されている場合には、前記ユーザ端末機から入力された音声メッセージをすでに登録されている音声メッセージに追加して該第１のアクセス情報及び前記第２のアクセス情報と関連付けて前記データベースに登録し、
前記音声メッセージ出力手段は、前記第２のアクセス情報に複数の音声メッセージが関連付けられて前記データベースに登録されている場合には、該第２のアクセス情報と関連付けられた複数の音声メッセージを出力することを特徴とする請求項３に記載のサービスサーバ。
【請求項５】
前記第１のアクセス情報および前記第２のアクセス情報のいずれをプリント媒体に記録するかを示す指定情報が各画像ごとに入力されるプリント指定情報入力手段を備えたことを特徴とする請求項３または４に記載のサービスサーバ。
【請求項６】
前記第１のアクセス情報を記録するプリント媒体の作成枚数および前記第２のアクセス情報を記録するプリント媒体の作成枚数を示す指定情報が入力されるプリント指定情報入力手段を備えたことを特徴とする請求項３または４に記載のサービスサーバ。
【請求項７】
前記プリント指示手段は、前記アクセス情報とともにプリント注文を受け付けたユーザの画像をプリンタに送信して、該アクセス情報をユーザの画像とともに同一のプリント媒体に記録させることを特徴とする請求項１ないし６のいずれか１項に記載のサービスサーバ。
【請求項８】
前記音声メッセージ出力手段は、前記アクセス情報と関連付けられて前記データベースに登録された音声メッセージを該データベースから取り出してリムーバブルな記録メディアに記録することを特徴とする請求項１ないし７のいずれか１項に記載のサービスサーバ。
【請求項９】
音声メッセージをユーザ端末機からネットワークを介して入力するために必要なアクセス情報を発行するステップと、
前記アクセス情報を所定の画像とともにプリンタに送信して、これらのアクセス情報および画像を同一のプリント媒体に記録させるステップと、
前記プリント媒体に基づいてユーザ端末機で取得されたアクセス情報が該ユーザ端末機からネットワークを介して入力されるステップと、
前記アクセス情報の送信元のユーザ端末機からネットワークを介して音声メッセージが入力されるステップと、
前記アクセス情報の送信元のユーザ端末機から入力された音声メッセージを該アクセス情報と関連付けて所定のデータベースに登録する音声メッセージ登録ステップと、
前記アクセス情報と関連付けられて前記データベースに登録された音声メッセージを出力する音声メッセージ出力ステップと、
を含むことを特徴とする音声メッセージ収集方法。
【請求項１０】
前記音声メッセージ登録ステップでは、前記ユーザ端末機で取得されたアクセス情報と関連付けられた音声メッセージがすでに前記データベースに登録されている場合には、前記ユーザ端末機から入力された音声メッセージをすでに登録されている音声メッセージに追加して前記データベースに登録し、
前記音声メッセージ出力ステップでは、前記アクセス情報に複数の音声メッセージが関連付けられて前記データベースに登録されている場合には、該アクセス情報と関連付けられた複数の音声メッセージを出力することを特徴とする請求項９に記載の音声メッセージ収集方法。
【発明の詳細な説明】
【技術分野】
【０００１】
本発明はサービスサーバおよび音声メッセージ収集方法に係り、特に、画像が印刷された用紙上の当該画像に関連する音声メッセージを収集するサービスサーバおよび音声メッセージ収集方法に関する。
【背景技術】
【０００２】
結婚式などの慶事でお祝いする人や、就職や異動などで送別する人に対して、その仲間が一枚の用紙に思い思いのメッセージを書き込んだ、いわゆる「寄せ書き」を贈る習慣がある。
【０００３】
また、きれいな画像とともに「おめでとう」などのお祝いの言葉が活字で印刷されて、さらにＩＣ（Integrated Circuit）により固定のメロディや固定の音声を出力可能にしたグリーティングカードも一般に利用されている。
【０００４】
特許文献１には、特定の人物の音声メッセージである「おめでとう」をエンコードした第１の２次元バーコードと楽曲「ウェディングマーチ」のメロディをエンコードした第２の２次元バーコードとが印刷された用紙を作成し、この用紙を所定の読取装置で読み取ったとき、予め定められた順序で音再生することにより、「ウェディングマーチ」のメロディをバックに「おめでとう」という音声を聞かせることができるようにしたものが記載されている。
【特許文献１】特開平８−３１４４８６号公報
【発明の開示】
【発明が解決しようとする課題】
【０００５】
従来の「寄せ書き」は、仲間のメッセージを文字で読ませるようになっており、仲間のメッセージを音声で伝えることができなかった。
【０００６】
固定のメロディや固定の音声を聞かせることが可能なグリーティングカードも利用されてはいるが、このようなグリーティングカードも、仲間の音声メッセージが寄せられているわけではない。
【０００７】
なお、特許文献１には、複数種類の音を予め定められた順序で再生することに関して記載されている一方で、仲間の音声メッセージをどのように収集するかに関しては何ら記載がない。
【０００８】
一方で、音声録音機能付きの携帯電話が一般に普及してきているが、音声付きの動画像を送信する用途やメモとしての音声録音の用途などには用いられているが、仲間の音声メッセージを収集するための録音機として用いるのは困難である。このような携帯電話で仲間の音声メッセージを収集しようとすると、ひとつの携帯電話を仲間に回して音収集しないと、仲間のメッセージを収集することができない。しかし、携帯電話には、アドレス帳などの貴重な個人情報が蓄積されており、また、通話や各種通信も可能であるので、そのような携帯電話を仲間といえども第３者に回すのは妥当でない。
【０００９】
また、ひとつの録音機を全員に回す場合、そのひとつの録音機を回している途中で、何を言うべきか迷って音声メッセージの録音に躊躇しているような人が幾人も居れば、時間の限られたパーティーなどで音声メッセージを贈りたい仲間の全員に録音機が回らず、したがって、音声メッセージの収集が完了しないことになる。また、多数の仲間がひとつの場所に集まっておらず複数の場所に離れて居るような場合には、そのようなひとつの録音機を回して仲間の全員の音声メッセージを収集することが大変困難であるという課題もある。
【００１０】
ところで、従来の「寄せ書き」の習慣は、手書きで、お祝いする人や送別する人に対するメッセージを書き込んでいくことにより、同様なメッセージが活字で表されているよりは筆跡により仲間の気持ちが伝わってくるものであり、良き習慣であるといえる。そのようなメッセージが音声メッセージで容易に収集することができれば、手書きメッセージよりもさらに仲間の各人の気持ちが伝わることが期待される。できれば、従来の「寄せ書き」の良き習慣を踏襲した上で、かつ、感情のこもった音声メッセージの収集を容易にすることができれば好ましい。
【００１１】
本発明はこのような事情に鑑みてなされたもので、画像が印刷されたプリント媒体上の当該画像に関する音声メッセージを容易に収集することができるサービスサーバおよび音声メッセージ収集方法を提供することを目的とする。
【課題を解決するための手段】
【００１２】
前記目的を達成するために、請求項１に記載の発明は、音声メッセージを登録するためのデータベースと、前記音声メッセージをユーザ端末機からネットワークを介して入力するために必要なアクセス情報を発行するアクセス情報発行手段と、前記アクセス情報を所定の画像とともにプリンタに送信して、これらのアクセス情報および画像を同一のプリント媒体に記録させるプリント指示手段と、前記プリント媒体に基づいてユーザ端末機で取得されたアクセス情報が該ユーザ端末機からネットワークを介して入力されるアクセス情報入力手段と、前記アクセス情報の送信元のユーザ端末機からネットワークを介して音声メッセージが入力される音声メッセージ入力手段と、前記アクセス情報の送信元のユーザ端末機から入力された音声メッセージを該アクセス情報と関連付けて前記データベースに登録する音声メッセージ登録手段と、前記アクセス情報と関連付けられて前記データベースに登録された音声メッセージを出力する音声メッセージ出力手段を備える構成となっている。
【００１３】
この構成によって、画像とともにアクセス情報が記録されたプリント媒体を仲間に配布して、そのプリント媒体に基づいて仲間がそのユーザ端末機からアクセスすれば、各ユーザ端末機で録音した仲間の音声メッセージをネットワークを介してデータベースに容易に登録できることになり、したがって、画像が印刷されたプリント媒体上の当該画像に関する仲間の音声メッセージをデータベースに容易に登録できる。
【００１４】
請求項２に記載の発明は、請求項１に記載の発明において、前記音声メッセージ登録手段は、前記ユーザ端末機で取得されたアクセス情報と関連付けられた音声メッセージがすでに前記データベースに登録されている場合には、前記ユーザ端末機から入力された音声メッセージをすでに登録されている音声メッセージに追加して前記データベースに登録し、前記音声メッセージ出力手段は、前記アクセス情報に複数の音声メッセージが関連付けられて前記データベースに登録されている場合には、該アクセス情報と関連付けられた複数の音声メッセージを出力するように構成した。
【００１５】
この構成によって、画像とともにアクセス情報が記録されたプリント媒体を仲間達に配布して、そのプリント媒体に基づいて仲間達の各人がそのユーザ端末機からアクセスすれば、各ユーザ端末機で録音した各人の音声メッセージをネットワークを介してデータベースに容易に蓄積できることになり、したがって、画像が印刷されたプリント媒体上の当該画像に関する仲間達の一群の音声メッセージをデータベースに容易に登録できる。
【００１６】
請求項３に記載の発明は、請求項１に記載の発明において、前記アクセス情報発行手段は、前記音声メッセージの入力を許可する第１のアクセス情報および前記音声メッセージの出力のみ可能な第２のアクセス情報を発行可能であり、前記プリント指示手段は、前記第１のアクセス情報および第２のアクセス情報のいずれをプリント媒体に記録するかをプリンタに指示し、前記アクセス情報入力手段に前記第１のアクセス情報が入力されたときには、該第１のアクセス情報の送信元のユーザ端末機から入力される音声メッセージを前記音声メッセージ登録手段により該第１のアクセス情報及び前記第２のアクセス情報と関連付けて前記データベースに登録可能であり、前記アクセス情報入力手段に前記第２のアクセス情報が入力されたときには、該第２のアクセス情報の送信元のユーザ端末機からの音声メッセージの入力は受け付けないで、該第２のアクセス情報と関連付けられて前記データベースに登録された音声メッセージを前記音声メッセージ出力手段によりアクセス情報の送信元のユーザ端末機に対してネットワークを介して出力する構成となっている。
【００１７】
この構成によって、登録された音声メッセージに対して誤って追加や変更をしてしまうことなく、ユーザ端末機で聞き取りのみできるようにすることができる。
【００１８】
請求項４に記載の発明は、請求項３に記載の発明において、前記音声メッセージ登録手段は、前記ユーザ端末機で取得された前記第１のアクセス情報と関連付けられた音声メッセージがすでに前記データベースに登録されている場合には、前記ユーザ端末機から入力された音声メッセージをすでに登録されている音声メッセージに追加して該第１のアクセス情報及び前記第２のアクセス情報と関連付けて前記データベースに登録し、前記音声メッセージ出力手段は、前記第２のアクセス情報に複数の音声メッセージが関連付けられて前記データベースに登録されている場合には、該第２のアクセス情報と関連付けられた複数の音声メッセージを出力する構成となっている。
【００１９】
請求項５に記載の発明は、請求項３または４に記載の発明において、前記第１のアクセス情報および前記第２のアクセス情報のいずれをプリント媒体に記録するかを示す指定情報が各画像ごとに入力されるプリント指定情報入力手段を備えた構成となっている。
【００２０】
請求項６に記載の発明は、請求項３または４に記載の発明において、前記第１のアクセス情報を記録するプリント媒体の作成枚数および前記第２のアクセス情報を記録するプリント媒体の作成枚数を示す指定情報が入力されるプリント指定情報入力手段を備えた構成となっている。
【００２１】
請求項７に記載の発明は、請求項１ないし６のいずれか１項に記載の発明において、前記プリント指示手段は、前記アクセス情報とともにプリント注文を受け付けたユーザの画像をプリンタに送信して、該アクセス情報をユーザの画像とともに同一のプリント媒体に記録させる構成となっている。
【００２２】
この構成によって、従来のプリント注文を受け付けたユーザの画像をプリントするサービス（写真プリントサービス）に対して、さらに付加価値を付けた音声メッセージ収集サービスを併せて提供することができる。
【００２３】
請求項８に記載の発明は、請求項１ないし７のいずれか１項に記載の発明において、前記音声メッセージ出力手段は、前記データベースに蓄積された各アクセス情報ごとの一群の音声メッセージを該データベースから取り出してリムーバブルな記録メディアに記録する構成となっている。
【００２４】
この構成によって、お祝いをする対象の人や送別する対象の人に対して、収集された音声メッセージが記録されたリムーバブルな記録メディアを贈ることが可能になる。
【００２５】
請求項９に記載の発明は、音声メッセージをユーザ端末機からネットワークを介して入力するために必要なアクセス情報を発行するステップと、前記アクセス情報を所定の画像とともにプリンタに送信して、これらのアクセス情報および画像を同一のプリント媒体に記録させるステップと、前記プリント媒体に基づいてユーザ端末機で取得されたアクセス情報が該ユーザ端末機からネットワークを介して入力されるステップと、前記アクセス情報の送信元のユーザ端末機からネットワークを介して音声メッセージが入力されるステップと、前記アクセス情報の送信元のユーザ端末機から入力された音声メッセージを該アクセス情報と関連付けて所定のデータベースに登録する音声メッセージ登録ステップと、前記アクセス情報と関連付けられて前記データベースに登録された音声メッセージを出力する音声メッセージ出力ステップを含む構成となっている。
【００２６】
請求項１０に記載の発明は、請求項９に記載の発明において、前記音声メッセージ登録ステップでは、前記ユーザ端末機で取得されたアクセス情報と関連付けられた音声メッセージがすでに前記データベースに登録されている場合には、前記ユーザ端末機から入力された音声メッセージをすでに登録されている音声メッセージに追加して前記データベースに登録し、前記音声メッセージ出力ステップでは、前記アクセス情報に複数の音声メッセージが関連付けられて前記データベースに登録されている場合には、該アクセス情報と関連付けられた複数の音声メッセージを出力する構成となっている。
【発明の効果】
【００２７】
本発明によれば、画像が印刷されたプリント媒体上の当該画像に関する音声メッセージを容易に収集することができる。
【発明を実施するための最良の形態】
【００２８】
以下、添付図面に従って本発明に係るサービスサーバおよび音声メッセージ収集方法を実施するための最良の実施の形態について、詳細に説明する。
【００２９】
図１は、本発明に係る一実施形態のサービスサーバ１０を含むサービスシステムの全体構成図である。
【００３０】
図１において、主として、サービスサーバ１０、プリンタ２０、カメラ付き携帯電話（以下単に「携帯電話」という）３０、４０、注文受付端末５０が、それぞれネットワーク６０に接続されて、本実施形態のサービスシステムが構成されている。
【００３１】
サービスサーバ１０は、プリンタ２０、携帯電話３０、４０、および、注文受付端末５０とネットワーク６０を介して通信し、ユーザのプリント注文に従ってプリンタ２０に写真プリントを作成させる写真プリント作成処理、ネットワーク６０を介して入力された音声メッセージを所定のデータベースに登録する音声メッセージ登録処理、一群の音声メッセージを出力する音声メッセージ出力処理、その他のサービス処理を行うものである。
【００３２】
プリンタ２０は、サービスサーバ１０の指示に従って、画像が印刷された写真プリントを作成する。また、画像とともに、ＱＲコード（登録商標）等の２次元バーコードを同一の用紙に印刷可能になっている。なお、プリンタ２０は、図１ではサービスサーバ１０とネットワーク６０を介して接続されているが、このような例に特に限定されず、例えばプリンタ２０とサービスサーバ１０とが一体で形成されていてもよい。
【００３３】
携帯電話３０、４０には、被写体の撮影が可能なカメラ（図示を省略）が設けられており、このカメラは、ＱＲコード（登録商標）等の２次元バーコードの入力にも用いられる。また、携帯電話３０、４０は、カメラにより入力されたアクセス情報を示す２次元バーコードをデコードし、ネットワーク６０を介してサービスサーバ１０にアクセスする。これらの携帯電話３０、４０は、実際には、携帯電話３０、４０と無線で通信する基地局（図示を省略）を介してネットワーク６０に接続される。また、図１では、第１の携帯電話３０および第２の携帯電話４０が図示されているが、実際には多数の携帯電話がネットワーク６０に接続される。
【００３４】
以下、説明の都合上、第１の携帯電話３０は、写真プリント配布先の一般ユーザが所持した携帯電話であって音声メッセージの入力または出力に用いるものであり、第２の携帯電話４０は、プリント注文ユーザが所持しプリント注文時に画像のアップロードを行うプリント注文用の携帯電話であるものとする。なお、以下における説明の便宜上そうするのであって、実際には、プリント注文したユーザが写真プリントを所持したときには、第２の携帯電話４０を用いて音声メッセージの入出力をすることも可能である。
【００３５】
注文受付端末５０は、主として、プリント注文を受け付けるための端末である。
【００３６】
なお、プリント注文の受付態様には、図１に示す例において、２つの態様がある。第１に、プリント注文ユーザの携帯電話４０からネットワーク６０を介してサービスサーバ１０に対してプリント注文し、サービスサーバ１０でプリント注文を受け付ける態様がある。この第１の態様では、プリント注文ユーザの携帯電話４０からサービスサーバ１０にユーザの画像がアップロードされる。第２に、注文受付端末５０でプリント注文を受け付ける態様がある。この第２の態様では、注文受付端末５０からサービスサーバ１０にユーザの画像がアップロードされる。
【００３７】
図２は、本実施形態のサービスサーバ１０の概念的な構成を示すブロック図である。
【００３８】
図２において、サービスサーバ１０は、主として、画像入力手段１０ａ、プリント指定情報入力手段１０ｂ、グループ情報入力手段１０ｃ、アクセス情報発行手段１０ｄ、プリント指示手段１０ｅ、登録手段１０ｆ、アクセス情報入力手段１０ｇ、音声メッセージ入力手段１０ｈ、音声メッセージ出力手段１０ｉ、および、データベース１０ｊを含み構成されている。
【００３９】
画像入力手段１０ａは、プリント注文ユーザの画像が入力されるものである。
【００４０】
画像の入力態様としては、図１に示す本サービスシステムにおいて、第１に、プリント注文ユーザの携帯電話４０でのそのユーザの操作に基づいてこの携帯電話４０からサービスサーバ１０にネットワーク６０を介して画像を送信する態様があり、第２に、注文受付端末５０でプリント注文を受けてこの注文受付端末５０からサービスサーバ１０にネットワーク６０を介して画像を送信する態様がある。
【００４１】
プリント指定情報入力手段１０ｂは、画像およびアクセス情報の印刷態様を示すプリント指定情報が入力されるものである。プリント指定情報としては、アクセス情報の種別、プリント枚数、プリント種（用紙サイズ、分割プリントか否かなど）等がある。
【００４２】
ここで、アクセス情報の種別は、少なくとも、写真プリント配布先ユーザの携帯電話３０からサービスサーバ１０への音声メッセージの入力を許可するアクセス情報（入力許可のアクセス情報）を用紙に記録するか、あるいは、サービスサーバ１０から携帯電話３０への音声メッセージの出力のみ可能なアクセス情報（入力不許可のアクセス情報）を用紙に記録するかを示す。このアクセス情報の種別は、用紙に印刷する各画像ごとに、プリント注文ユーザの携帯電話４０で指定操作することができる。この指定操作をするための画面情報は、サービスサーバ１０から携帯電話３０に送信されて、携帯電話３０の表示パネルに表示される。
【００４３】
また、プリント枚数は、入力許可のアクセス情報を記録する用紙の枚数と、入力不許可のアクセス情報を記録する用紙の枚数とに、分けて、プリント注文ユーザの携帯電話４０で指定操作することができる。この指定操作をするための画面情報は、サービスサーバ１０から携帯電話３０に送信されて、携帯電話３０の表示パネルに表示される。
【００４４】
プリント指定情報の入力態様としては、図１に示す本サービスシステムにおいて、第１に、プリント注文ユーザの携帯電話４０でのそのユーザの操作に基づいてプリント指定情報を生成し、この携帯電話４０からサービスサーバ１０にネットワーク６０を介して送信する態様があり、第２に、注文受付端末５０でプリント注文を受け付けてプリント指定情報を生成し、この注文受付端末５０からサービスサーバ１０にネットワーク６０を介して送信する態様があり、第３に、管理者等がサービスサーバ１０でデフォルトのプリント指定情報として入力する態様がある。
【００４５】
グループ情報入力手段１０ｃは、ユーザの属するグループを示すグループ情報が入力されるものである。
【００４６】
ここで、グループ情報は、少なくとも、写真プリント配布先ユーザが、音声メッセージの入力が許可される入力許可グループ、および、音声メッセージの出力のみ可能な入力不許可グループのいずれに属するかを示す。
【００４７】
グループ情報の生成態様には各種ある。そのひとつの態様として、プリント注文ユーザの携帯電話４０に予め登録されたアドレス帳を用いて写真プリント配布先のユーザをグループ化する態様がある。この態様では、プリント注文ユーザが、入力許可グループに属させるメンバをアドレス帳から選択する操作を行うことにより、入力許可グループを形成する。入力許可グループが形成されると、その入力許可グループに属するメンバであるか否かは、電子メールアドレス、電話番号、および、名前などにより識別することが可能になる。また、入力許可グループは幾つかのグループ（例えば仕事関係のメンバからなるグループと遊び関係のメンバからなるグループ）に類別することもできる。一方で、入力不許可グループは、入力許可グループに属さない人の全てをメンバとして形成してもよいし、あるいは、音声メッセージの出力のみ許可されるグループと全てのアクセスが拒否されるグループ（すなわち音声メッセージの出力さえ許可されないグループ）とに類別するために、プリント注文ユーザが入力不許可グループに属させるメンバをアドレス帳から選択する操作を行うことにより入力不許可グループを形成するようにしてもよい。このようにして生成されたグループ情報は、プリント注文ユーザの携帯電話４０からサービスサーバ１０にネットワーク６０を介して送信される。
【００４８】
アクセス情報発行手段１０ｄは、写真プリント配布先ユーザの携帯電話３０からサービスサーバ１０にアクセスする際に必要なアクセス情報を発行するものである。
【００４９】
ここで、アクセス情報は、少なくとも、携帯電話３０からサービスサーバ１０への音声メッセージの入力を許可するアクセス情報（入力許可のアクセス情報）と、サービスサーバ１０から携帯電話３０への音声メッセージの出力のみ可能なアクセス情報（入力不許可のアクセス情報）とに類別されている。
【００５０】
入力許可のアクセス情報は、具体的には、例えば、音声メッセージの入力と出力とが可能なアクセス情報である。この入力許可のアクセス情報を用いて写真プリント配布先ユーザの携帯電話３０からサービスサーバ１０にアクセスする際、音声メッセージの入力および出力のいずれを行うかについては、例えば、携帯電話３０において、入力許可のアクセス情報を読み取ったとき、音声メッセージの入力および出力のいずれを行うかの選択操作を受け付けるようにする。
【００５１】
なお、入力許可のアクセス情報は、このような音声メッセージの入出力を両方可能とした態様に特に限定されず、音声メッセージの入力のみが可能なアクセス情報とした態様を含む。この場合、音声メッセージの入出力を両方を行うべきユーザに対しては、音声メッセージの入力のみが可能なアクセス情報（音入れ専用のアクセス情報）および音声メッセージの出力のみが可能なアクセス情報（聞き取り専用のアクセス情報、すなわち入力不許可のアクセス情報）の両方が記録された写真プリントを作成して配布するようにする。
【００５２】
プリント指示手段１０ｅは、画像入力手段１０ａに入力されたユーザの画像、および、アクセス情報発行手段１０ｄによって発行されたアクセス情報を含む印刷データを、プリンタ２０に送信するとともに、プリント指定情報入力手段１０ｂに入力されたプリント指定情報に基づいた写真プリントの作成をプリンタ２０に指示するものである。プリント指定情報は、そのままプリンタ２０に送信するようにしてもよい。プリント指示手段１０ｅから指示を受けたプリンタ２０では、ユーザの画像およびアクセス情報を同一の用紙に記録する。
【００５３】
なお、入力許可および入力不許可のいずれのアクセス情報が写真プリントに記録されているかは、視覚的に判るようにしてある。例えば、アクセス情報が２次元バーコードにエンコードされて印刷されるのであれば、その２次元バーコードの色で判別可能にする。好ましくは、「音入れ」または「聞き取り」などの説明用の文字や、音入れ用か聞き取り用かを示すアイコンなどを、２次元バーコードとともに印刷するとよい。
【００５４】
登録手段１０ｆは、画像、プリント指定情報、および、音声メッセージを、プリント注文ユーザの各オーダごとに、データベース１０ｊに登録するものである。これらの画像、プリント指定情報、および、音声メッセージは、アクセス情報発行手段１０ｄによって発行されたアクセス情報（入力許可のアクセス情報および入力不許可のアクセス情報の両方である）と関連付けられて、データベース１０ｊによって管理される。また、登録手段１０ｆは、グループ情報をデータベース１０ｊに登録する。
【００５５】
アクセス情報入力手段１０ｇは、写真プリント配布先のユーザが所持する携帯電話３０で写真プリント上のアクセス情報が認識されたとき、そのアクセス情報が、携帯電話３０からネットワーク６０を介して入力されるものである。ここで、入力許可のアクセス情報および入力不許可のアクセス情報のいずれかが入力される。
【００５６】
音声メッセージ入力手段１０ｈは、アクセス情報入力手段１０ｇに入力許可のアクセス情報が入力されて音声メッセージの入力が要求されたとき、さらに、携帯電話３０からのネットワーク６０を介した音声メッセージの入力を受け付けるものである。具体的には、写真プリント配布先ユーザの携帯電話３０からネットワーク６０を介して入力許可のアクセス情報がアクセス情報入力手段１０ｇに入力され、かつ、音声メッセージの入力が要求されているとき、このアクセス情報の送信元の携帯電話３０からの音声メッセージを受け付ける。入力された音声メッセージは、登録手段１０ｆによってアクセス情報（入力許可のアクセス情報および入力不許可のアクセス情報の両方である）と関連付けられてデータベース１０ｊに登録される。なお、当該アクセス情報と関連付けられた音声メッセージがすでにデータベース１０ｊに登録されている場合には、携帯電話３０から入力された音声メッセージをすでに登録されている音声メッセージに追加してデータベース１０ｊに登録する。
【００５７】
また、音声メッセージ入力手段１０ｈは、アクセス情報入力手段１０ｇに入力不許可のアクセス情報が入力されたときには、携帯電話３０からの音声メッセージの入力は受け付けない。
【００５８】
音声メッセージ出力手段１０ｉは、アクセス情報入力手段１０ｇにアクセス情報（入力許可または入力不許可のアクセス情報）が入力されて音声メッセージの出力が要求されたとき、当該アクセス情報に関連付けられてデータベース１０ｊに蓄積された一群の音声メッセージを出力するものである。
【００５９】
なお、音声メッセージ出力手段１０ｉは、当該アクセス情報に複数の音声メッセージが関連付けられてデータベース１０ｊに登録されている場合には、当該アクセス情報と関連付けられた複数の音声メッセージを出力する。
【００６０】
音声メッセージの出力態様としては、第１に、アクセス情報の送信元の携帯電話３０に対してネットワーク６０を介して一群の音声メッセージを出力する態様があり、第２に、ＣＤ（Compact Disk）などのリムーバブルな記録メディアに記録する態様がある。
【００６１】
図３は、サービスサーバ１０の内部構成の具体的な例を示すブロック図である。図３において、サービスサーバ１０は、主として、携帯電話３０、４０および注文受付端末５０とネットワーク６０を介して通信する通信部１１、ＣＰＵ（Central Processing Unit）からなる制御部１２、画像データベース１３、音声メッセージデータベース１４、ユーザ情報データベース１５、課金情報データベース１６、地図情報データベース１７、カレンダデータベース１８、素材データベース１９を含んで構成される。なお、各データベース１３ないし１９は、サービスサーバ１０の筐体内に含まれている必要はなく、例えば、サービスサーバ１０の遠隔に設置されて、図１のネットワーク６０を介してサービスサーバ１０と接続されていてもよい。
【００６２】
通信部１１は、図１のプリント注文ユーザの携帯電話４０や注文受付端末５０から、画像およびプリント指定情報を受信する。また、プリント注文ユーザの携帯電話４０から、グループ情報を受信する。また、写真プリント配布先ユーザの携帯電話３０から、アクセス情報を受信する。また、写真プリント配布先ユーザの携帯電話３０から、音声メッセージを受信する。また、写真プリント配布先ユーザの携帯電話３０に対して、一群の音声メッセージを送信する。なお、携帯電話３０、４０および注文受付端末５０とは、ＨＴＴＰ（Hypertext Transfer Protocol）により通信可能である。
【００６３】
画像データベース１３は、各オーダごとに、画像を管理する。音声メッセージデータベース１４は、各オーダごとに、一群の音声メッセージを蓄積し管理する。ユーザ情報データベース１５は、グループ情報、その他のユーザに関する情報を管理する。課金情報データベース１６は、プリント指定情報、その他のプリント注文ユーザ等への課金に関する情報を管理する。地図情報データベース１７は、地図情報を管理する。カレンダデータベース１８は、年、月、日、曜日、祝日等のカレンダ情報を管理する。素材データベース１９は、写真プリントに印刷する印刷データの素材、および、携帯電話３０、４０に送信する画面情報の素材を管理する。
【００６４】
なお、ユーザ情報データベース１５は、プリント注文のオーダごとに、画像や音声メッセージの保管満了日を管理するようになっている。例えば、画像の保管満了日はデフォルトでプリント注文日から２週間までとし、音声メッセージの保管満了日はデフォルトでプリント注文日から２ヶ月とし、これらのデフォルトより長い期間にわたる画像や音声メッセージの保管をユーザが希望する場合には、別途延長料金をその保管希望ユーザに対して課金する。この保管満了日を経過すると、画像データベース１３から該当するオーダの画像を削除し、音声メッセージデータベース１４から該当するオーダの音声メッセージを削除する。
【００６５】
図３に例示した具体例のサービスサーバ１０の構成要素と図２に示した概念的構成のサービスサーバ１０の構成要素との対応関係を簡単に説明すると、画像入力手段１０ａ、プリント指定情報入力手段１０ｂ、グループ情報入力手段１０ｃおよびアクセス情報入力手段１０ｇは主として通信部１１によって構成され、音声メッセージ入力手段１０ｈおよび音声メッセージ出力手段１０ｉは主として通信部１１および制御部１２によって構成され、アクセス情報発行手段１０ｄ、プリント指示手段１０ｅおよび登録手段１０ｆは主として制御部１２によって構成されている。
【００６６】
以上説明したサービスシステムにおける具体的なプリントサービス流れについて、図４を用いて説明する。
【００６７】
プリント注文ユーザは、そのユーザの携帯電話４０において、被写体を撮影して画像を得た後に、アクセス情報の種別、プリント枚数、プリント種の指定を含むプリント指定操作を行う（Ｓ１）。注文受付端末５０でプリント注文受付時にユーザの画像を取得するとともにプリント指定操作を行ってもよい。
【００６８】
なお、アクセス情報の種別の指定態様、すなわち音声メッセージに関するアクセス権限の決定方法には、各種ある。
【００６９】
第１に、図５（ａ）の指定画面４１０に示すように、プリント注文ユーザによって選択された画像を表示して、その画像とともに用紙に記録されるアクセス情報についての種別指定操作をプリント注文ユーザに対して促し、各画像ごとに、アクセス情報の種別指定を受け付ける。具体的には、「この画像の音入れを許可する」４１２が選択されたときには、入力許可のアクセス情報を指定したことになり、「この画像の音入れ不可」４１４が選択されたときには、入力不許可のアクセス情報が指定されたことになる。このようにして指定された各画像ごとのアクセス情報種別がプリント指定情報の一部としてサービスサーバ１０にネットワーク６０を介して入力される。
【００７０】
第２に、図５（ｂ）の指定画面４２０に示すように、プリント注文ユーザによって選択された画像を表示して、その画像とともに入力許可のアクセス情報を記録する写真プリントの枚数と、その画像とともに入力不許可のアクセス情報を記録する写真プリントの枚数についての指定操作をプリント注文ユーザに対して促し、各画像ごとに、枚数指定を受け付ける。具体的には、「音入れプリント」の入力フィールド４２２で入力許可のアクセス情報を記録する写真プリントの枚数を指定させ、「聞き取りプリント」の入力フィールド４２４で入力不許可のアクセス情報を記録する写真プリントの枚数を指定させる。
【００７１】
なお、デフォルトでよいプリント指定内容（例えば各画像を標準サイズの用紙に１枚ずつ印刷するという指定）については、プリント注文ユーザは特に指定操作を行う必要はなく、デフォルトのプリント指定内容でよい旨の操作を行う。
【００７２】
次に、プリント注文ユーザが、携帯電話４０において、所定の送信操作を行うと、画像およびプリント指定情報が携帯電話４０からネットワーク６０を介してサービスサーバ１０に送信される（Ｓ２）。
【００７３】
注文受付端末５０でプリント注文を受け付けた場合には、注文受付端末５０から画像およびプリント指定情報がサービスサーバ１０に送信される。
【００７４】
このようにしてサービスサーバ１０に画像およびプリント指定情報が入力される。これらのプリント注文時にサービスサーバ１０に入力される情報をひとまとめにして、「オーダ情報」ということもある。
【００７５】
オーダ情報を受信したサービスサーバ１０では、オーダ情報に含まれるプリント指定情報に基づいて、アクセス情報が発行される（Ｓ３）。
【００７６】
アクセス情報としては、例えば、ＵＲＬを有するものがある。このＵＲＬには、音声メッセージの入出力に必要な通信プロトコル、アクセス先であるサービスサーバ１０のドメイン名、音声メッセージの格納場所を特定するための情報、および、入力許可か否かを示す情報が含まれる。
【００７７】
そして、画像、プリント指定情報、および、アクセス情報が、サービスサーバ１０からプリンタ２０に送信される（Ｓ４）。ここで、アクセス情報は、サービスサーバ１０側で２次元バーコードにエンコードしてプリンタ２０に送るようにしてもよいし、プリンタ２０側で２次元バーコードにエンコードしてもよい。
【００７８】
プリンタ２０は、サービスサーバ１０から受信した画像、プリント指定情報およびアクセス情報に基づいて、写真プリント２６を作成する（Ｓ５）。ここで、サービスサーバ１０から送信したアクセス情報が、２次元バーコード２７として、ユーザの画像２８とともに同一の用紙に印刷される。
【００７９】
図５（ａ）に示す例では、プリント注文時、入力許可のアクセス情報を記録するように指定したので、ユーザの画像２８とともに入力許可のアクセス情報２７が記録された写真プリント２６が作成される。なお、プリント注文時、入力不許可のアクセス情報を記録するように指定した場合には、ユーザの画像とともに入力不許可のアクセス情報が記録された写真プリントが作成される。
【００８０】
図５（ｂ）に示す例では、プリント注文時に「音入れプリント」を１枚作成するように指定したので、ユーザの画像２８とともに入力許可のアクセス情報２７が記録された写真プリント２６が１枚作成される。また、プリント注文時に「聞き取りプリント」を５０枚作成するように指定したので、入力不許可のアクセス情報（すなわち音声メッセージの出力のみ可能なアクセス情報）が記録された写真プリントは５０枚作成される。
【００８１】
作成された写真プリント２６は、プリント注文ユーザに直接渡されるか、あるいは、プリント注文したユーザの指定に従って所定の配送先に配送される。
【００８２】
次に、写真プリント配布先の携帯電話３０から入力した音声メッセージをデータベース１０ｊに登録する処理（音声メッセージ登録処理）について説明する。
【００８３】
写真プリント２６の配布先ユーザは、その携帯電話３０で音声メッセージを録音した後（Ｓ６）、その携帯電話３０をアクセス情報の読取モードにして、携帯電話３０に写真プリント２６上の２次元バーコード２７を読み取らせる（Ｓ７）。この２次元バーコード２７が携帯電話３０でデコードされて、このデコードされたアクセス情報が携帯電話３０からサービスサーバ１０に送信される（Ｓ８）。
【００８４】
携帯電話３０からアクセス情報を受信したサービスサーバ１０は、アクセス情報の種別を判定し、そのアクセス情報が入力許可のアクセス情報であって、かつ、携帯電話３０から音声メッセージの入力を要求されているときには、サービスサーバ１０はさらに携帯電話３０から音声メッセージを受信する（Ｓ９）。そして、受信した音声メッセージをアクセス情報（入力許可のアクセス情報および入力不許可のアクセス情報の両方である）と関連付けてデータベース１０ｊに登録する（Ｓ１０）。したがって、音声メッセージは、その音声メッセージに対応する画像とも、アクセス情報を介して、関連付けられて、データベース１０ｊで管理される。
【００８５】
図５（ａ）に示す例では、プリント注文時、入力許可のアクセス情報を写真プリント２６に記録するように指定したので、写真プリント２６を手に入れた人全員が２次元バーコード２７を用いて音入れ可能（音声メッセージ入力可能）である。
【００８６】
写真プリント２６を手に入れた携帯電話３０ａのユーザと携帯電話３０ｂのユーザがそれぞれ音声メッセージを入力する場合、携帯電話３０ａのユーザが先に音声メッセージを入力したとすると、携帯電話３０ｂのユーザの音声メッセージ１０ｊｂは、携帯電話３０ａのユーザの音声メッセージ１０ｊａの次にデータベース１０ｊに追加して登録される。
【００８７】
図５（ｂ）に示す例では、音入れ可能な写真プリント２６である「音入れプリント」を手に入れた人のみが２次元バーコードを用いて音入れ可能（音声メッセージ入力可能）である。一方で、「聞き取りプリント」を手にした人は、そこに記録された２次元バーコードを携帯電話３０に読み取らせても、音声メッセージの入力は受け付けられない。
【００８８】
次に、写真プリント配布先の携帯電話３０に対して音声メッセージを出力する処理（音声メッセージ出力処理）について説明する。
【００８９】
写真プリント２６の配布先ユーザは、その携帯電話３０をアクセス情報の読取モードにして、携帯電話３０に写真プリント２６上の２次元バーコード２７を読み取らせる（Ｓ１１）。この２次元バーコード２７が携帯電話３０でデコードされて、このデコードされたアクセス情報が携帯電話３０からサービスサーバ１０に送信される（Ｓ１２）。
【００９０】
携帯電話３０からアクセス情報を受信したサービスサーバ１０は、そのアクセス情報が「聞き取りプリント」から読み取られた入力不許可のアクセス情報である場合や、入力許可のアクセス情報であって音声メッセージの出力が要求されている場合には、データベース１０ｊに蓄積されている該当アクセス情報に関連付けられた一群の音声メッセージを、アクセス情報送信元の携帯電話３０に対して、ネットワーク６０を介して送信する（Ｓ１３）。
【００９１】
アクセス情報送信元の携帯電話３０に送信された一群の音声メッセージは、その携帯電話３０で再生される（Ｓ１４）。
【００９２】
また、データベース１０ｊに蓄積した一群の音声メッセージは、ＣＤ（Compact Disk）などのリムーバブルな記録メディア７６に書き込むことも可能である（Ｓ１５）。
【００９３】
例えば、サービスサ−バ１０に直接接続された記録装置（図示を省略）でリムーバブルな記録メディア７６に書き込む。また、例えば、注文受付端末５０に接続されたバーコードリーダ（図示を省略）に写真プリント２６の２次元バーコードを読み取らせて、サービスサーバ１０にアクセス情報を送信し、当該アクセス情報に関連付けられた一群の音声メッセージをサービスサーバ１０から受信した注文受付端末５０が、その注文受付端末５０にセットされたリムーバブルな記録メディア７６に書き込むようにしてもよい。
【００９４】
例えば、プリント注文時に、一群の音声メッセージ入り記録メディア７６の作成についても注文を受け付けておき、予め決められた音声メッセージの入力期限（例えばプリント注文から１週間）で音声メッセージの入力を締め切って、その入力期限までに蓄積された一群の音声メッセージを記録メディア７６に記録し、その記録メディア７６をプリント注文ユーザが指定した所定の配送先に配送するようにしてもよい。
【００９５】
以上説明した本実施形態のサービスサーバおよび音声メッセージ収集方法によれば、音声メッセージの入力許可のアクセス情報がユーザの画像とともに記録された写真プリントを仲間達に配布して、その画像に対応する仲間達の音声メッセージを容易に収集することができる。
【００９６】
例えば、図６に示すように、新婚カップルが撮影された画像２８とともに、音声メッセージの入力許可のアクセス情報２７を記録した写真プリント２６（音入れプリント）を１枚作成し、その音入れプリント２６を、結婚式直後の披露宴の会場内において多数の出席者の間で回す。その音入れプリント２６を手に入れた人は、順に、自分の携帯電話３０で音声メッセージを録音した後、その携帯電話３０にアクセス情報２７を認識させる。サービスサーバ１０のデータベース１０ｊでは、アクセス情報２７に関連付けられて音声メッセージが蓄積されていく。例えば、「結婚おめでとう。末永くお幸せに。Ｘより。」、「明るい家庭を築いてください。Ｙより。」、「お似合いの素敵なカップルですね。本当にうらやましい。Ｚ。」などの各人の思い思いの祝福メッセージが、画像に対応してデータベース１０ｊに蓄積されていく。
【００９７】
一方で、結婚したカップルが撮影された画像とともに、音声メッセージの入力不許可のアクセス情報を記録した写真プリント（聞き取りプリント）を出席者分（例えば５０枚）作成し、その聞き取りプリントを、披露宴終了後に会場を後にする出席者の全員に配布する。聞き取りプリントを手にした出席者は、自分の携帯電話３０にアクセス情報を認識させる。その携帯電話３０には、サービスサーバ１０から一群の音声メッセージが配信されてくるので、新婚カップルを含む出席者全員が、一群の音声メッセージを聞きながら写真を見ることができる。なお、新婚カップルには、その新婚カップルを撮影した画像や結婚式および披露宴の様子が撮影された画像とともに、一群の音声メッセージを記録した記録メディア７６が渡され、新婚カップルは自宅のパーソナルコンピュータなどで画像とともに一群の音声メッセージを再生して楽しむことができる。
【００９８】
なお、「音入れプリント」と「聞き取りプリント」にそれぞれ印刷される画像は必ずしも同一である必要はなく、相互に異なる画像を印刷してもよい。例えば、ある記念パーティーが始まる前に配布する「音入れプリント」には、記念パーティーの開催前に撮影した主賓の画像を印刷し、その記念パーティーの終了後に配布する「聞き取りプリント」には、記念パーティーの実際の様子を撮影した画像を印刷するようにしてもよい。この場合にも、音入れプリントのアクセス情報および聞き取りプリントのアクセス情報と、音声メッセージとが、互いに関連付けられてデータベース１０ｊにおいて管理される。
【００９９】
以下、グループ情報に基づく音声メッセージの入力許可について説明する。
【０１００】
まず、プリント注文ユーザの携帯電話４０において、グループを形成する操作を行う。例えば、図７において、プリント注文ユーザの携帯電話４０の表示パネルにグループ形成画面４３０を表示させて、各メンバの電子メールアドレスをその携帯電話４０の操作パネルから入力し、グループを形成する操作を行う。その携帯電話４０に予め登録されているアドレス帳からメンバを選択する操作を行うことによりグループが形成されるようにしてもよいし、そのアドレス帳で予め形成されているグループをそのまま選択してもよい。このようにして、プリント注文ユーザの携帯電話４０においてグループ情報が形成される。
【０１０１】
次に、あるグループに対して音声メッセージに対するアクセス権限を与える操作を行う。例えば、図７において、プリント注文ユーザの携帯電話４０の表示パネルに音入れ許可画面４４０を表示させて、該当グループのメンバによる音声メッセージの入力を許可するか否かの指定操作を、プリント注文ユーザに対して促し、各画像ごとに、該当グループのメンバによる音声メッセージの入力を許可するか否かの指定を受け付ける。具体的には、「この画像の音入れを許可する」４３２が選択されたときには、そのグループのメンバの携帯電話３０からアクセス情報を受信したときに音声メッセージの入力を許可し、「この画像の音入れ不可」４３４が選択されたときには、そのグループのメンバの携帯電話３０からアクセス情報を受信したときに音声メッセージの入力を受け付けず、音声メッセージの出力のみ行う。すなわち、「この画像の音入れを許可する」４３２が選択されたグループに属する人のみが２次元バーコードを用いて音入れ可能になる。
【０１０２】
以上、アクセス情報を２次元バーコードとして写真プリントに記録する場合を例に説明したが、本発明はこれに限らず、不可視の状態で画像内に埋め込むようにしてもよい。この場合には、画像の中心に埋め込むのが好ましい。
【０１０３】
また、アクセス情報は、用紙に形成されたＩＣタグに書き込むようにしてもよい。この場合、プリンタ２０には、ＩＣタグにアクセス情報を書き込むための書込手段を設ける。また、携帯電話には、ＩＣタグからアクセス情報を読み込むための読込手段が設けられる。
【０１０４】
また、ユーザ端末機は、携帯電話に限るものではなく、例えばＰＤＡ（Personal Digital Assistants）であってもよい。
【０１０５】
その他、本発明は、図で示した例や実施形態として説明した例に限定されるものではなく、本発明の要旨に従って適宜設計変更や改良を施して実施してよいことはもちろんである。
【図面の簡単な説明】
【０１０６】
【図１】本発明に係る一実施形態のサービスサーバを含むサービスシステムの全体構成図
【図２】本発明に係る一実施形態のサービスサーバの概念的な概略構成を示すブロック図
【図３】本発明に係る一実施形態のサービスサーバの具体的な内部構成の例を示すブロック図
【図４】本発明に係る一実施形態のサービスサーバによるサービスの例の処理の流れを示す説明図
【図５】アクセス情報の種別の指定操作を説明するために用いる説明図
【図６】アクセス情報として２次元バーコードが記録された写真プリントの例を示す図
【図７】グループ情報の形成操作を説明するために用いる説明図
【符号の説明】
【０１０７】
１０…サービスサーバ、１０ａ…画像入力手段、１０ｂ…プリント指定情報入力手段、１０ｃ…グループ情報入力手段、１０ｄ…アクセス情報発行手段、１０ｅ…プリント指示手段、１０ｆ…登録手段、１０ｇ…アクセス情報入力手段、１０ｈ…音声メッセージ入力手段、１０ｉ…音声メッセージ出力手段、１０ｊ…データベース、１１…サービスサーバの通信部、１２…サービスサーバの制御部、１３…画像データベース、１４…音声メッセージデータベース、１５…ユーザ情報データベース、１６…課金情報データベース、２０…プリンタ、２６…写真プリント、２７…２次元バーコード（アクセス情報）、２８…画像、３０…写真プリント配布先ユーザの携帯電話、４０…プリント注文ユーザの携帯電話、５０…注文受付端末、６０…ネットワーク
【図１】
2005236876.tif 000003
【図２】
2005236876.tif 000004
【図３】
2005236876.tif 000005
【図４】
2005236876.tif 000006
【図５】
2005236876.tif 000007
【図６】
2005236876.tif 000008
【図７】
2005236876.tif 000009